(57)【特許請求の範囲】
【請求項１】
複数の変電所を管理する変電システムと、複数の変電所の変電所データおよび変電所の運用中設備の状況を受信可能な工務設備管理システムと、を備えて系統解析を実行可能な電力系統潮流制御システムであって、
前記複数の変電システムの機器情報、設備保守情報、設備運転情報を含む変電所データを工務設備管理システムのデータベースに記録する変電所データ記録手段と、
前記複数の変電システムの電圧、電流、系統状態を含むリアルタイム設備情報を抽出するためのリクエストを送信するリアルタイム設備情報抽出手段と、
前記複数の変電システムからリアルタイム設備情報が送信され、その送信されたリアルタイム設備情報を受信するリアルタイム設備情報受信手段と、
そのリアルタイム設備情報を前記データベースに記録するリアルタイム設備情報記録手段と、
前記変電所データおよびリアルタイム設備情報を用いて系統解析を実行する系統解析実行手段と、
その系統解析実行手段が実行した系統解析結果から、系統操作による潮流制御を行うか否かを判断する潮流制御実行可否手段と、
その潮流制御実行可否手段が潮流制御を行うと判断した場合には、前記変電システムに対して潮流制御を実行するための潮流制御実行データを送信する潮流制御用データ送信手段と、を備え、
前記の系統解析実行手段は、前記のデータベースにおける変電所データに基づいた各機器の性能および状態を系統解析条件に反映させた系統解析を実行し、各機器の状態に応じた過負荷耐量を算出して機器および電力系統への負荷の配分を制御することとし、
前記の変電所データには、変電システムの設備運用指針データおよび系統解析用の予想負荷曲線データを含み、
その設備運用指針データは前記変電システムから受信し、
前記変電システムにおけるリアルタイム設備情報において、系統解析のパラメータを修正可能なパラメータ修正手段を備え、
そのパラメータ修正手段は、前記複数の変電所の状態変異を取得してパラメータを修正することとし、
前記の系統解析実行手段は、前記の設備運用指針データおよび前記の予想負荷曲線データをも用いて系統解析を実行するとともに、その系統解析実行手段が系統解析したパラメータを表示可能な表示手段を備えた潮流系統制御システム。
【請求項２】
前記の系統解析実行手段は、機器諸元、累積遮断電流、操作機構部状態およびガス圧のいずれかの状態情報を読み込んで算出した遮断機性能に基づいて系統解析を実行し、その結果を反映させて機器および電力系統への負荷の配分を制御することした請求項１に記載の潮流系統制御システム。
【請求項３】
複数の変電所を管理する変電システムと、複数の変電所の変電所データおよび変電所の運用中設備の状況を受信可能な工務設備管理システムとを備えて系統解析を実行可能な電力系統潮流制御プログラムであって、
そのプログラムは、前記複数の変電システムの機器情報、設備保守情報、設備運転情報を含む変電所データを工務設備管理システムのデータベースに記録する変電所データ記録手順と、
前記複数の変電システムの電圧、電流、系統状態を含むリアルタイム設備情報を抽出するためのリクエストを送信するリアルタイム設備情報抽出手順と、
前記複数の変電システムからリアルタイム設備情報が送信され、その送信されたリアルタイム設備情報を受信するリアルタイム設備情報受信手順と、
そのリアルタイム設備情報を前記データベースに記録するリアルタイム設備情報記録手順と、
前記変電所データおよびリアルタイム設備情報を用いるとともに各機器の状態に応じた過負荷耐量を算出して系統解析を実行する系統解析実行手順と、
その系統解析実行手順が実行した系統解析結果から、系統操作による潮流制御を行うか否かを判断する潮流制御実行可否手順と、
その潮流制御実行可否手順が潮流制御を行うと判断した場合には、前記変電システムに対して潮流制御を実行するための潮流制御実行データを送信する潮流制御用データ送信手順と、
前記変電システムにおけるリアルタイム設備情報において、系統解析のパラメータを修正可能なパラメータ修正手順と、
前記系統解析実行手順が系統解析したパラメータを表示する表示手順と、
をコンピュータに実行させるものであり、
前記の変電所データには、変電システムの設備運用指針データおよび系統解析用の予想負荷曲線データを含み、  その設備運用指針データは前記変電システムから受信することとし、
前記のパラメータ修正手順においては、前記複数の変電所の状態変異を取得してパラメータを修正することとし、
前記の系統解析実行手順においては、前記のデータベースにおける変電所データに基づいた各機器の性能および状態を系統解析条件に反映させた系統解析を実行し、  その結果を反映させて機器および電力系統への負荷の配分を制御するとともに、設備運用指針データを前記変電システムから受信して前記の設備運用指針データおよび前記の予想負荷曲線データをも用いて系統解析を実行することとした潮流系統制御プログラム。
【請求項４】
前記の系統解析実行手順は、機器諸元、累積遮断電流、操作機構部状態およびガス圧のいずれかの状態情報を読み込んで算出した遮断機性能に基づいて系統解析を実行し、その結果を反映させて機器および電力系統への負荷の配分を制御することした請求項３に記載の潮流系統制御プログラム。
【発明の詳細な説明】
【技術分野】
【０００１】
本発明は、電力の系統解析において、運用中設備の状況を反映して正確に系統解析が行える電力系統潮流制御システムおよび電力系統潮流制御プログラムに関する。
【背景技術】
【０００２】
従来から、電力の系統解析に関する技術は、ハードウェアとしてのコンピュータの発達とともに、進歩している。例えば、特許文献1には、「ハイブリッド電力系統解析装置」が開示されている。
【０００３】
この技術は、電力系統の一部をアナログ模擬により解析するアナログシミュレータが、自己の模擬対象の電力系統ＰＳ１とディジタルシミュレータの模擬対象の電力系統ＰＳ２との連係部位における電気状態量を発生する第１の電圧源を備え、電力系統の残りの部分をディジタル模擬により解析するディジタルシミュレータは、自己の模擬対象の電力系統ＰＳ２とアナログシミュレータの模擬対象の電力系統との連係部位における電気状態量を発生する第２の電圧源を備えている。本技術によれば、ディジタルシミュレータの解析刻み時間よりも短い状態変化を伴う電力系統の解析に好適なハイブリッド電力系統解析装置を実現することができる。
【０００４】
【特許文献１】特開２０００−２４５０６２号公報
【発明の開示】
【発明が解決しようとする課題】
【０００５】
一方、系統解析の対象となる変電所には、「機器情報」、「設備保守情報」、「設備運転情報」などの各種の変電所データが予め存在する。また、これら変電所データのほかに、「電圧」、「電流」、「系統状態」などの変電所の設備情報も存在する。
【０００６】
さて、現在では種々の電力系統解析システムおよびプログラムが開発されている。しかし、そのいずれにおいても運用中設備の状態を正確に反映して系統解析を行うには至っていない。すなわち、リアルタイムに変化することのない変電所データをもとに系統解析を実行することは可能であったが、前述の設備情報のようなリアルタイムで変動する情報をも含めた系統解析を効率的に行う手段は確立されていなかった。
また、特許文献１の技術においては、ディジタルシミュレータの解析刻み時間よりも短い状態変化を伴う電力系統の解析は実現できたものの、リアルタイムの設備情報を含めての系統解析を行うことは開示されていない。したがって、変電所における運用中設備のリアルタイム状況を反映して正確に系統解析が行える技術が望まれていた。
【０００７】
請求項１および請求項２に記載の目的は、変電所における運用中設備のリアルタイム状況を反映して正確に系統解析が行える電力系統潮流制御システムを提供することにある。
また、請求項３および請求項４に記載の目的は、変電所における運用中設備のリアルタイム状況を反映して正確に系統解析が行える電力系統潮流制御プログラムを提供することにある。
【課題を解決するための手段】
【０００８】
（第一の発明）
第一の発明は、複数の変電所を管理する変電システムと、複数の変電所の変電所データおよび変電所の運用中設備の状況を受信可能な工務設備管理システムとを備えて系統解析を実行可能な電力系統潮流制御システムに係る。
すなわち、前記複数の変電システムの機器情報、設備保守情報、設備運転情報を含む変電所データを工務設備管理システムのデータベースに記録する変電所データ記録手段と、  前記複数の変電システムの電圧、電流、系統状態を含むリアルタイム設備情報を抽出するためのリクエストを送信するリアルタイム設備情報抽出手段と、  前記複数の変電システムからリアルタイム設備情報が送信され、その送信されたリアルタイム設備情報を受信するリアルタイム設備情報受信手段と、  そのリアルタイム設備情報を前記データベースに記録するリアルタイム設備情報記録手段と、  前記変電所データおよびリアルタイム設備情報を用いて系統解析を実行する系統解析実行手段と、  その系統解析実行手段が実行した系統解析結果から、系統操作による潮流制御を行うか否かを判断する潮流制御実行可否手段と、  その潮流制御実行可否手段が潮流制御を行うと判断した場合には、前記変電システムに対して潮流制御を実行するための潮流制御実行データを送信する潮流制御用データ送信手段と、を備える。
そして、前記の系統解析実行手段は、前記のデータベースにおける変電所データに基づいた各機器の性能および状態を系統解析条件に反映させた系統解析を実行し、その結果を反映させて機器および電力系統への負荷の配分を制御する。
【０００９】
（用語説明）
「変電所データ」とは、変電所の機器情報、設備保守情報、設備運転情報のことである。これらは、日々変動することのない、あるいは変動の少ない固定データである。
「リアルタイム設備情報」とは、電圧、電流、系統状態などのことである。これらは、リアルタイムで変動する変動データである。
「潮流制御用データ」とは、変電システムに対して潮流制御を実行するための命令データである。変電システムは、この潮流制御用データを受信すると、各変電所に対して潮流制御を実行することとなる。
【００１０】
（作用）
系統解析に必要なデータ取得処理は以下の通りとなる。
まず、工務設備管理システムにおいて変電所データが入力されると、変電所データ記録手段がその変電所データを工務設備管理システムのデータベースに記録する。リアルタイム設備情報抽出手段が変電システムのリアルタイム設備情報を抽出するためのリクエストを送信する。変電システムでは、そのリクエストに返信してリアルタイム設備情報を送信し、リアルタイム設備情報受信手段が送信されたリアルタイム設備情報を受信する。このリアルタイム設備情報は、リアルタイム設備情報記録手段がデータベースに記録する。
【００１１】
必要なデータが取得できたら、次に、系統解析処理となる。
まず、系統解析実行手段がデータベースに記録された変電所データおよびリアルタイム設備情報をもとに系統解析を実行する。潮流制御実行可否手段が系統解析結果から、系統操作による潮流制御を行うか否かを判断する。そして、潮流制御を行うと判断した場合には、潮流制御用データ送信手段が変電システムに対して潮流制御を実行するための潮流制御実行データを送信する。変電システムは、この潮流制御用データを受信すると、各変電所に対して潮流制御を実行することとなる。
すなわち、系統解析にリアルタイム設備情報を用いることで、変電所のリアルタイムな運転状態を正確な系統解析に反映することができる。これにより、系統解析の効率および作業効率の向上に寄与する。
なお、リアルタイム設備情報はデータベースに記録されるほか、ＲＡＭに一時記録しておくこともできる。このようにすれば、解析処理のスピードを向上させることができる。
【００１２】
第一の発明は、以下のように限定しても良い。
すなわち、前記の変電所データには、変電システムの設備運用指針データを含み、  その設備運用指針データを前記変電システムから受信し、  前記の系統解析実行手段は、前記の設備運用指針データをも用いて系統解析を実行することを特徴とする。
【００１３】
（作用）
データベースに記録される変電所データには、変電システムの過負荷運転時における設備運用指針データが含まれる。系統解析実行手段は、設備運用指針データを含めて系統解析を実行する。設備運用指針データを含めることで、より詳細な系統解析が実現されるので、変電所の状態に応じた的確な潮流制御が可能となる。
【００１４】
第一の発明は、以下のように限定しても良い。
すなわち、前記の変電所データには、系統解析用の予想負荷曲線データを含み、  その予想負荷曲線データを前記変電システムから受信し、
前記の系統解析実行手段は、前記の予想負荷曲線データをも用いて系統解析を実行することを特徴とする。
【００１５】
（作用）
データベースに記録される変電所データには、系統解析用の予想負荷曲線データが含まれる。系統解析実行手段は、予想負荷曲線データを含めて系統解析を実行する。すなわち、予想負荷曲線データを含めることで、より詳細な系統解析が実現されるので、変電所の状態に応じた的確な潮流制御が可能となる。
【００１６】
第一の発明は、以下のように限定しても良い。
すなわち、前記抽出されたリアルタイム設備情報のパラメータを、変電所の状態に応じて変更可能なパラメータ修正手段を備えたことを特徴とする。
【００１７】
（作用）
パラメータ修正手段が、抽出したリアルタイム設備情報のパラメータを、変電所の状態に応じて変更する。
通常はリアルタイム設備情報のパラメータをそのまま使用するが、例えば、変電所の開閉器の入り切り等の安全点検や事故や災害による設備機器の緊急停止など、変電所の状態変異に応じて、標準のリアルタイム設備情報のパラメータでは問題があることが考えられる。このため、最適になるよう手動修正する機能である。したがって、系統解析をより正確に実施することができる。なお、パラメータの修正は、手動修正のほか、予め安全点検や事故・災害などのデータを設定しておき、最適値となるようシミュレーションして自動修正するようにしても良い。
【００１８】
第一の発明は、以下のように限定しても良い。
すなわち、前記系統解析実行手段が系統解析したパラメータを表示可能な表示手段を備えたことを特徴とする。
【００１９】
（作用）
系統解析された潮流制御用パラメータは、工務設備管理システムのモニタ等の表示手段に表示される。このため、工務設備管理システムのシステム管理者は、モニタ上に表示された潮流制御用パラメータを見ることができる。
【００２０】
（第二の発明）
第二の発明は、複数の変電所を管理する変電システムと、複数の変電所の変電所データおよび変電所の運用中設備の状況を受信して系統解析を実行する電力系統潮流制御プログラムに係る。
そのプログラムは、前記複数の変電システムの機器情報、設備保守情報、設備運転情報を含む変電所データを工務設備管理システムのデータベースに記録する変電所データ記録手順と、  前記複数の変電システムの電圧、電流、系統状態を含むリアルタイム設備情報を抽出するためのリクエストを送信するリアルタイム設備情報抽出手順と、  前記複数の変電システムからリアルタイム設備情報が送信され、その送信されたリアルタイム設備情報を受信するリアルタイム設備情報受信手順と、  そのリアルタイム設備情報を前記データベースに記録するリアルタイム設備情報記録手順と、  前記変電所データおよびリアルタイム設備情報を用いた系統解析を実行する系統解析実行手順と、  その系統解析実行手順が実行した系統解析結果から、系統操作による潮流制御を行うか否かを判断する潮流制御実行可否手順と、  その潮流制御実行可否手順が潮流制御を行うと判断した場合には、前記変電システムに対して潮流制御を実行するための潮流制御実行データを送信する潮流制御用データ送信手順と、をコンピュータに実行させるものであり、  前記の系統解析実行手順においては、前記のデータベースにおける変電所データに基づいた各機器の性能および状態を系統解析条件に反映させた系統解析を実行し、その結果を反映させて機器および電力系統への負荷の配分を制御することとした潮流系統制御プログラムである。
【００２１】
第二の発明は、以下のように限定しても良い。
すなわち、前記変電所データには、変電システムの過負荷運転時における設備運用指針データを含み、その設備運用指針データを前記変電システムから受信して前記系統解析実行手順が系統解析を実行することを特徴とする。
【００２２】
第二の発明は、以下のように限定しても良い。
すなわち、前記変電所データには、系統解析用の予想負荷曲線データを含み、その予想負荷曲線データを前記変電システムから受信して前記系統解析実行手順が系統解析を実行することを特徴とする。
【００２３】
第二の発明は、以下のように限定しても良い。
すなわち、前記抽出されたリアルタイム設備情報のパラメータを、変電所の状態に応じて変更可能なパラメータ修正手段を備えたことを特徴とする。
【００２４】
第二の発明は、以下のように限定しても良い。
すなわち、前記系統解析実行手段が系統解析した潮流制御用パラメータを表示手順を含むこととしたことを特徴とする。
【００２５】
第二の発明に係るコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒなどである。
また、これらの発明に係るプログラムを格納したコンピュータから、通信回線を通じて他のコンピュータへ伝送することも可能である。
【発明の効果】
【００２６】
第一の発明に記載の発明によれば、変電所における運用中設備のリアルタイム状況を反映して正確に系統解析が行える電力系統潮流制御システムを提供することができた。
第二の発明によれば、変電所における運用中設備のリアルタイム状況を反映して正確に系統解析が行える電力系統潮流制御プログラムを提供することができた。
【発明を実施するための最良の形態】
【００２７】
以下、図面を参照して本発明に係る実施形態について説明する。ここで使用する図面は図１から図５である。図１は、電力系統潮流制御システムの全体構成を示した概念図であり、図２は、電力系統潮流制御システムにおける各機能を概略的に示した概略図であり、図３は、変電システムのハードウェア構成を示したブロック図であり、図４は、工務設備管理システムのハードウェア構成を示したブロック図であり、図５は、変電システムと工務設備管理システムにおけるデータ処理を示したフローチャートである。
【００２８】
電力系統潮流制御システム１は、複数の変電所を管理する変電システム１０と、複数の変電所の変電所データおよび変電所の運用中設備の状況を受信可能な工務設備管理システム５０（以下、ＭＪシステム５０と表記する）とを備えて系統解析を実行可能な電力系統潮流制御システムであり、変電システム１０の機器情報、設備保守情報、設備運転情報からなる変電所データが入力され、その入力された変電所データをＭＪシステム５０のデータベース６０に記録する変電所データ記録手段と、変電システム１０の電圧、電流、系統状態からなるリアルタイム設備情報を抽出するためのリクエストを送信するリアルタイム設備情報抽出手段と、変電システム１０からリアルタイム設備情報が送信され、その送信されたリアルタイム設備情報を受信するリアルタイム設備情報受信手段と、そのリアルタイム設備情報をデータベース６０に記録するリアルタイム設備情報記録手段と、変電所データおよびリアルタイム設備情報をもとに系統解析を実行する系統解析実行手段と、その系統解析実行手段が実行した系統解析結果から、系統操作による潮流制御を行うか否かを判断する潮流制御実行可否手段と、その潮流制御実行可否手段が潮流制御を行うと判断した場合には、変電システム１０に対して潮流制御を実行するための潮流制御実行データを送信する潮流制御用データ送信手段と、を備えて構成されている。
【００２９】
（変電システム）
変電システム１０は、例えば、複数箇所に設置された全国の変電所の設備情報を管理しているシステムである。この設備情報には、各変電所の「電圧」、「電流」、「系統状態」などのリアルタイム設備情報が管理されており、これらリアルタイム設備情報はリアルタイムに随時更新される。そして、ＭＪシステム５０から送信されるリアルタイム設備情報の抽出リクエストに対し、必要なリアルタイム設備情報をＭＪシステム５０に送信する。
【００３０】
図３に変電システム１０のハードウェア構成を示したブロック図を示す。
変電システム１０は、変電システム１０全体の制御を行うとともに、各種演算処理を行うＣＰＵ１１、各種データを書き込む際に、それらのデータを一時的に展開するＲＡＭ１２、オペレーティングシステム、アプリケーションソフトおよび各種データが記憶される記憶部１３、マウスやキーボード等の入力部１４、モニタ等の表示部１５、インターネットやイントラネットなどの電気通信回線に接続可能な通信部１６、各種データをプリンタ等に出力可能な出力部１７および各種データの入出力部である入出力ポート１８を備えて構成されている。
【００３１】
記憶部１３には、各変電所における「電圧」、「電流」、「系統状態」などの変電所のリアルタイム設備情報が記録されている。
通信部１６は、ＭＪシステム５０との間でリアルタイム設備情報を送受信するための機能を備えている。
【００３２】
（ＭＪシステム）
ＭＪシステム５０は、データベース６０に『機器情報』、『設備保守情報』、『設備運転情報』の変電所データが記録されているとともに、これら変電所データおよび変電システム１０から送信されたリアルタイム設備情報をもとに、各変電所の系統解析を実行し、その制御を行うことが可能な潮流系統制御プログラムを備えている。
【００３３】
図４にＭＪシステム５０のハードウェア構成を示したブロック図を示す。
ＭＪシステム５０は、ＭＪシステム５０全体の制御を行うとともに、各種演算処理を行うＣＰＵ５１、各種データを書き込む際に、それらのデータを一時的に展開するＲＡＭ５２、オペレーティングシステム、電力系統潮流制御プログラムおよび各種データが記憶される記憶部５３、マウスやキーボード等の入力部５４、モニタ等の表示部５５、インターネットやイントラネットなどの電気通信回線に接続可能な通信部５６、電力系統潮流制御プログラムによって解析された各種データなどをプリンタ等に出力可能な出力部５７、各種データの入出力部である入出力ポート５８、複数の変電所における変電所データなどが記録されたデータベース６０を備えて構成されている。
【００３４】
データベース６０に記録されている『機器情報』とは、「変圧器」、「ＧＩＳ（ガス・インシュレーティング・スイッチギア）」、「補器情報」などの各種情報のことである。
「変圧器」は機器諸元、油面、過負荷制限などのデータであり、「ＧＩＳ」は、事故発生時に電力を遮断する遮断器や工事等によって電力を断路する断路機のことであり、機器諸元、ガス圧、遮断器動作回数などのデータがある。また、「補器情報」は、冷却能力や運転状態などのデータのことである。
【００３５】
『設備保守情報』とは、「製造年月」、「製造者」、「型式」、「経歴保守履歴」などのデータである。
「製造年月」は、対象となる設備が製造された年月日であり、「製造者」は、対象となる設備の製造者名称であり、「型式」は、対象となる設備の型式ナンバーであり、「経歴保守履歴」は、対象となる設備の保守履歴のログである。
【００３６】
『設備運転情報』には、「巡視データ」、「異常処理データ」、「点検結果」などのデータである。
「巡視データ」は、対象となる設備を巡視した記録のことであり、「異常処理データ」は、対象となる設備が異常処理した場合の記録であり、「点検結果」は、対象となる設備を点検した結果のことである。
【００３７】
次に、図５を参照して本システムの具体的な処理手順を説明する。
まず、ＭＪシステム５０において、入力部５４（入力手段）が変電所データ（『機器情報』、『設備保守情報』、『設備運転情報』）を入力する（Ｓ１０１）。
入力部５４が入力した変電所データを変電所データ記録手段がデータベース６０に記録する（Ｓ１０２）。
【００３８】
次に、リアルタイム設備情報抽出手段が変電システム１０のリアルタイム設備情報を抽出するためのリクエストを送信する（Ｓ１０３）。この送信には、専用線、ＬＡＮおよびインターネット回線等の所定の通信手段が用いられる。
変電システム１０は、リアルタイム設備情報抽出リクエスト受信手段が、リアルタイム設備情報抽出リクエストを受信し、所定のリアルタイム設備情報の抽出許可を与え、リアルタイム設備情報が抽出される（Ｓ１０４）。
【００３９】
ＭＪシステム５０は、リアルタイム設備情報受信手段が、抽出したリアルタイム設備情報を受信する（Ｓ１０５）。
また、リアルタイム設備情報記録手段が抽出したリアルタイム設備情報をデータベース６０に記録する（Ｓ１０６）。
入力手段が過負荷運転指針等の設備運転指針データを入力する（Ｓ１０７）。
また、抽出したリアルタイム設備情報を変更する場合、入力手段が系統解析に必要な予想負荷曲線データを入力する（Ｓ１０８）。
【００４０】
さらに、抽出したリアルタイム設備情報を変更する場合、パラメータ修正手段が開閉器の入り切り状態等、系統解析のパラメータを修正する（Ｓ１０９）。
系統解析実行手段が、変電所データ、リアルタイム設備情報、設備運転指針データおよび予想負荷曲線データをもとに系統解析を実行する（Ｓ１１０）。
この系統解析結果から、必要な潮流制御を読み取るとともに、潮流制御実行可否手段が系統操作による潮流制御を行うか否かを判断する（Ｓ１１１）。
ここで、潮流制御を行うと判断した場合には、潮流制御用データ送信手段が、変電システム１０に対して潮流制御を実行するための潮流制御用データを送信する（Ｓ１１２）。
【００４１】
変電システム１０は、潮流制御実行データ受信手段が潮流制御用データを受信する（Ｓ１１３）。
そして、潮流制御実行データ反映手段が、その潮流制御実行データを該当する変電所に反映し、最適な解析条件および運転状態になるよう調整をする（Ｓ１１４）。
一方、潮流制御実行可否手段で潮流制御を行わないと判断した場合には、解析結果出力手段が、モニタ等の表示手段に解析結果を出力する（Ｓ１１５）。
【００４２】
（パラメータの修正）
なお、前述のパラメータ修正手段は、抽出したリアルタイム設備情報のパラメータを、変電所の状態に応じて変更する。これは、通常はリアルタイム設備情報のパラメータをそのまま使用するが、例えば、変電所における開閉器の入り切り等の安全点検や事故や災害による設備機器の緊急停止など、変電所の状態変異に応じて、標準のリアルタイム設備情報のパラメータでは問題があることが考えられる。
このため、最適になるよう手動修正する機能である。したがって、系統解析をより正確に実施することができる。
なお、パラメータの修正は、手動修正のほか、予め安全点検や事故・災害などのデータを設定しておき、最適値となるようシミュレーションして自動修正するようにしても良い。
【００４３】
（実施例１）
以下は、電力系統潮流制御システム１の一例として、変圧器の過負荷運転時の制御について説明したものである。
事故時の負荷切り替えなどにおける変圧器の過負荷運転の場合、
［１］．機器諸元（経年，製造者，負荷損，無負荷損，など）
［２］．油中ガス分析結果（正常，要注意１，要注意２，異常）
［３］．油中水分量（油中水分量から紙中水分量に換算して気泡発生温度を算出）
［４］．負荷率（運開からのデータを用いて等価経年を算出）
などの情報に基づき、それぞれ、［１］の基本データを用いて通常時の過負荷耐量を算出し、［２］，［３］および［４］の情報からそれぞれの条件を鑑みた過負荷耐量を算出してその耐量以下となるように負荷の配分を制御する。
【００４４】
例えば、［２］の結果で正常であれば実力に応じた過負荷、要注意１以上であれば１１０％までの過負荷に制限し、系統の潮流を制御する。
［４］の負荷率に関しては、過負荷耐量と寿命を判定し、過負荷実績からの寿命管理を行い、寿命を確保する必要がある場合には過負荷耐量を制限する。
その他の項目についても同様に、それぞれの状態に応じた過負荷耐量を算出し、それ以下の潮流となるように系統を制御する。
また、事故時の短絡容量についても同様に、通常の短絡容量に対して変圧器状態に応じた短絡容量を算出し、変電所の負荷としては、並列バンク数、回線数、直列機器（開閉器，ケーブルなど）の過負荷耐量などから総合的に算出する。
【００４５】
これらのデータをＭＪシステム５０から読み込み、変圧器の過負荷耐量を機器状態に応じた値に随時算出して、その値以下の潮流となるように系統を制御する。すなわち、このような一連の制御をシステマティックに行うことにより、より迅速に、より細かく系統を制御することが可能となる。これにより、系統効率および作業効率も向上する。
【００４６】
（実施例２）
また、夏期多雷撃時に備えた遮断器動作制御と系統制御では、次のようになる。
油圧駆動のＳＦ６ガス遮断器については、下記状態情報などを読み込み、状態に応じた遮断器性能を随時算出し、系統を制御する。
［１］．機器諸元（経年，製造者，定格電圧，定格電流，定格遮断電流，など）
［２］．累積遮断電流
［３］．操作機構部状態（動作回数，油圧，ポンプ動作回数，など）
［４］．ガス圧
例えば、累積遮断電流から、４０ｋＡの雷撃電流を２回まで遮断可能と判定した場合、夏期多重雷時の遮断動作回数を制限し、系統切替などを行うといった制御が可能となる。
【図面の簡単な説明】
【００４７】
【図１】電力系統潮流制御システムの全体構成を示した概念図である。
【図２】電力系統潮流制御システムにおける各機能を概略的に示した概略図である。
【図３】変電システムのハードウェア構成を示したブロック図である。
【図４】工務設備管理システムのハードウェア構成を示したブロック図である。
【図５】変電システムと工務設備管理システムにおけるデータ処理を示したフローチャートである。
【符号の説明】
【００４８】
１０  変電システム
１１、５１  ＣＰＵ
１２、５２  ＲＡＭ
１３、５３  記憶部
１４、５４  入力部
１５、５５  表示部
１６、５６  通信部
１７、５７  出力部
１８、５８  入出力ポート
５０  工務設備管理システム
６０  データベース
【図１】
0004721938.tif 000002
【図２】
0004721938.tif 000003
【図３】
0004721938.tif 000004
【図４】
0004721938.tif 000005
【図５】
0004721938.tif 000006